(57)【特許請求の範囲】
【請求項１】
走行自在な一対の無端チェーンに両端を連結したレーキを備え、このレーキが水路中に設置したバースクリーンの前面に沿って走行するようにした除塵装置において、
フレームの表面に固着した一対のブラケットと、
該一対のブラケット間に回転自在に掛け渡したボールねじと、
該ボールねじに螺合し、該ボールねじの回転により移動するボールナットと、
該ボールナットに一端を固着し、圧縮力を受けると曲率半径が小さくなる、一対の板ばね片を有した板ばねと、
前記板ばねの他端にブロックを介して固着した、前記無端チェーンに当接する円弧状の当接面を有する押圧片とを備え、
前記押圧片は滑りの良い樹脂で構成され、前記ボールねじの回転により前記ボールナットの位置を調節し、前記板ばねの弾性力で前記無端チェーンの弛緩側に緊張を付与する緊張装置を、前記水路中の水面よりも上方に位置させて配置したことを特徴とする除塵装置。
【請求項２】
前記ばねとして、弾性に富む板状の樹脂で構成した樹脂製板ばねを使用したことを特徴とする請求項１に記載の除塵装置。
【発明の詳細な説明】
【０００１】
【発明の属する技術分野】
本発明は、水路中に浮遊するごみ類を捕捉して取り除くための除塵装置に係り、特にバースクリーンに捕捉されたごみ類を掻き上げるレーキの駆動機構に関する。
【０００２】
【従来の技術】
上記のような除塵装置としては、下水処理の貯液槽または用水並びに排水路等の水路内に設けられたバースクリーンと、このバースクリーンに沿ってごみ類を掻き上げるための複数の可動レーキを備えたものが一般に用いられている。この種の除塵装置のバースクリーンは、液流の略直角方向に延びる複数の板状部材を水路の幅方向に等間隔に配置して構成されている。そして、水路内に流入する雑多なごみ類をバースクリーンに係止させて捕捉し、このごみ類を巡回走行する可動レーキで掻き上げて搬送ベルトコンベア等に落として除去するようになっている。前記可動レーキは、突出する複数の凸部が形成された櫛の歯状に形成されている。
【０００３】
図８は、前記除塵装置の従来の一般的な構成を示すもので、水路Ｗの幅一杯に該水路Ｗを塞ぐ如く配置されたバースクリーン１が受け桁２で支持されて備えられている。ここに、前記バースクリーン１は、複数の板状部材を所定のピッチで並列に配置して構成され、これにより、水路Ｗ内に流入する雑多なごみ類は、このバースクリーン１に係止されて捕捉され、このごみ類を除去された水がバースクリーン１の下流側に流れるようになっている。
【０００４】
前記バースクリーン１の側方には、地上に設置された駆動スプロケット３と地底側に設置された従動スプロケット４との間に掛け渡され該駆動スプロケット３の回転に伴って走行する一対の無端チェーン５が配置され、この無端チェーン５の長さ方向に沿った所定の位置にアタッチメント６を介してレーキ７が連結されている。このレーキ７には、櫛の歯状の掻取り部（レーキ爪）が備えられている。
【０００５】
更に、前記無端チェーン５の走行経路に沿って長尺状に延びるガイド８が配置され、一方、前記レーキ７のホルダ９にはガイドローラ１０が回転自在に支承されて、レーキ７の動きが規制されるようになっている。
【０００６】
これにより、無端チェーン５の走行に伴って、レーキ７がその動きを規制されつつバースクリーン１の前面に沿って上方に向けて走行し、この走行の際にレーキ７の櫛の歯状の掻取り部７ａの凸部がバースクリーン１の空隙部内に間挿するように位置して、バースクリーン１で捕捉されたごみ類を掻き取り、上方に搬送して除去するようになっている。
【０００７】
ここに、前記駆動スプロケット３は、上下動自在でモータ１１の回転に伴って回転するテークアップ軸（駆動軸）１２の端部に連結され、このテークアップ軸１２を上下動させることで、無端チェーン５の張力を調節するようにしていた。
【０００８】
【発明が解決しようとする課題】
しかしながら、上記従来例にあっては、無端チェーンの緩みがこの戻り側の最下部に現れるため、この戻り側（弛緩側）は水面下であるので、その緊張の状態を視覚的に検知することができず、無端チェーンの緊張の状態を知るためには、水路内の水を抜き、人が水路の底に降りて、下部の無端チェーンの状態を見る必要があった。そして、無端チェーンの張力を調節する際には、前述のようにして下部のチェーンの状態を見ながら、テークアップ軸を上下動させてこれを行う必要があり、これでは、作業性が極めて悪いという問題があった。
【０００９】
本発明は上記事情に鑑みて為されたもので、無端チェーンの弛緩側に常に張力のある状態で運転することができ、しかも無端チェーンの弛緩側の緊張状態を視覚的に検知しながら、無端チェーンの張力を調節できるようにした除塵装置を提供することを目的とする。
【００１０】
【課題を解決するための手段】
本発明の除塵装置は、走行自在な一対の無端チェーンに両端を連結したレーキを備え、このレーキが水路中に設置したバースクリーンの前面に沿って走行するようにした除塵装置において、フレームの表面に固着した一対のブラケットと、該一対のブラケット間に回転自在に掛け渡したボールねじと、該ボールねじに螺合し、該ボールねじの回転により移動するボールナットと、該ボールナットに一端を固着し、圧縮力を受けると曲率半径が小さくなる、一対の板ばね片を有した板ばねと、前記板ばねの他端にブロックを介して固着した、前記無端チェーンに当接する円弧状の当接面を有する押圧片とを備え、前記押圧片は滑りの良い樹脂で構成され、前記ボールねじの回転により前記ボールナットの位置を調節し、前記板ばねの弾性力で前記無端チェーンの弛緩側に緊張を付与する緊張装置を、前記水路中の水面よりも上方に位置させて配置したことを特徴とする。
【００１１】
これにより、緊張装置のばねの弾性力で無端チェーンの弛緩側に張力を与え、しかもばねの変位量から無端チェーンの弛緩側の緊張状態を検知して、このばねの変位量を見ながら無端チェーンの張力を調節することができる。また、緊張装置が水路中の水面よりも上方に位置していることから、この作業を容易に行うことができる。
【００１２】
ここに、前記ばねとして、弾性に富む板状の樹脂で構成した樹脂製板ばねを使用することが好ましく、これにより、ばね（樹脂製板ばね）に高い耐食性を持たせることができる。
【００１３】
【発明の実施の形態】
以下、本発明の実施の形態を図１乃至図７を参照して説明する。尚、図８に示す従来例と同一部材には同一符号を付して説明する。
【００１４】
図１乃至図５は、水路に垂直に設置される除塵装置に適用した本発明の一実施の形態を示すものである。無端チェーン５の走行に伴い水路Ｗに設置されたバースクリーン１の前面に沿って走行するレーキ７が備えられ、このレーキ７には、櫛の歯状の掻取り部（レーキ爪）が設けられている。そして、前記無端チェーン５は、地上側の駆動スプロケット３と地底側の下部ガイド４との間に掛け渡されている。
【００１５】
前記無端チェーン５の走行経路に沿って、この戻り側（弛緩側）５ａには、無端チェーン５を前後から挟持する中間ガイド２０ａと下部ガイド２１ａが、往き側（緊張側）５ｂには、ほぼ全長にわたりガイドレール１９が、又、チェーンを挟むように中間ガイド２０ｂと下部ガイド２１ｂがそれぞれ所定間隔離間して配置されている。更に、バースクリーン１の上方には、レーキ７の上動に伴い該レーキ７の上面に当接してレーキ７から離れる方向に揺動し、自重によって元の状態に復帰するワイパ２２が設けられ、レーキ７で掻き取られたごみ類は、このワイパ２２で払い取られてホッパ２３内に落下するようになっている。
【００１６】
前記駆動スプロケット３と中間ガイド２０ａとの間には、無端チェーン５の弛緩側５ａに緊張を与える緊張装置３０が、水路Ｗの水面の上方に位置して、水面から露出して配置されている。
【００１７】
即ち、この緊張装置３０は、図２及び図３に詳細に示すように、フレーム３１の表面に固着した一対のブラケット３２，３３と、このブラケット３２，３３間に回転自在に掛け渡したボールねじ３４と、このボールねじ３４に螺合するボールナット３５と、このボールナット３５に一端を固着した樹脂製板ばね３６と、この樹脂製板ばね３６の他端にブロック３７を介して固着した押圧片３８とから主に構成されている。前記樹脂製板ばね３６は、圧縮力を受けると曲率半径が小さくなる一対のばね片３６ａを有している。
【００１８】
そして、前記ボールねじ３４をその頭部３４ａを介して回転させることで、ボールナット３５の位置を調節し、また前記押圧片３８の円弧状の当接面３８ａを無端チェーン５の弛緩側５ａに当接させることで、前記樹脂製板ばね３６の弾性力を介して該無端チェーン５の弛緩側５ａに緊張を付与するようになっている。
【００１９】
ここに、前記押圧片３８は、例えば高分子量ポリエチレン等の滑りの良い樹脂で構成されている。このことは、前記中間ガイド２０ａ，２０ｂ及び下部ガイド２１ａ，２１ｂも同様である。一方、前記樹脂製板ばね３６も、同様に樹脂で構成されている。このように、樹脂で構成することにより、高い耐食性を持たせることができるが、一般の金属製としても良いことは勿論である。
【００２０】
これにより、緊張装置３０の樹脂製板ばね３６の弾性力で無端チェーン５の弛緩側５ａに一定の張力を与え、しかも樹脂製板ばね３６の変位量、換言すれば押圧片３８の位置から無端チェーン５の弛緩側５ａの緊張状態を検知することができる。従って、この樹脂製板ばね３６の変位量を見ながら、駆動スプロケット３を上下動させたり、ボールねじ３４を回転させてボールナット３５を移動させることで、無端チェーン５の張力を調節することができる。
【００２１】
尚、この実施の形態にあっては、図４及び図５に詳細に示すように、無端チェーン５の一部を構成するアタッチメント４０に弾性を有するフレキシブルアーム４１を取付け、このフレキシブルアーム４１にレーキ７の端部を連結して、レーキ７を無端チェーン５に連結するようにしている。
【００２２】
図６は、前記緊張装置３０の別の例を示すもので、これは、固定棒５０ａに遊嵌する心棒５０を備え、この心棒５０を一対の金属製板ばね５１を有するばね体５２の内部に挿通し、更に、心棒５０の先端を押圧片５３を有する押圧体５４内に固定して、前記金属製板ばね５１の弾性力で前記押圧体５４を押圧するようにして緊張装置３０を構成したものである。図７は、前記緊張装置３０の更に他の例を示すもので、これは、前記図６に示す緊張装置におけるばね体５２の代わりに、圧縮コイルばね６０を使用したものである。
【００２３】
尚、上記各実施の形態においては緊張装置としてばね体と押圧片とを用いたものであるが、ばね体とスプロケットを組み合わせても良いのは勿論のことである。このように本発明の趣旨を逸脱することなく種々の変形実施例が可能である。
【００２４】
【発明の効果】
以上説明したように、本発明によれば、緊張装置のばねの弾性力で無端チェーンの弛緩側に張力を与え、しかも水路内の水を抜くことなく、ばねの変位量から無端チェーンの弛緩側の緊張状態を検知して、このばねの変位量を見ながら無端チェーンの張力を調節することができる。これによって、この作業を容易且つ迅速に行うことができる。
【図面の簡単な説明】
【図１】本発明の実施の形態を示す除塵装置の側面図。
【図２】同じく、緊張装置の平面図。
【図３】同じく、図２の正面図。
【図４】同じく、無端チェーンとレーキとの連結部を拡大して示す平面図。
【図５】同じく、図４の左側面図。
【図６】緊張装置の他の例を示す（ａ）正面図、（ｂ）平面図、（ｃ）側面図。
【図７】緊張装置の更に他の例を示す（ａ）正面図、（ｂ）平面図、（ｃ）ｃｃ線に沿った断面図。
【図８】従来の除塵装置を示す側面図。
【符号の説明】
１  バースクリーン
３  駆動スプロケット
４  従動スプロケット
５  無端チェーン
５ａ  同弛緩側（戻り側）
６  アタッチメント
７  レーキ
３０  緊張装置
３４  ボールねじ
３６  樹脂製板ばね
３８，５３  押圧片
５０  心棒
５１  金属製板ばね
６０  圧縮コイルばね
【図１】
0003733996.tif 000002
【図２】
0003733996.tif 000003
【図３】
0003733996.tif 000004
【図４】
0003733996.tif 000005
【図５】
0003733996.tif 000006
【図６】
0003733996.tif 000007
【図７】
0003733996.tif 000008
【図８】
0003733996.tif 000009